(57)【要約】【課題】ＧＰＳ等や基本位置情報の入力を必要とすることなく、端末に対して近傍のＷＥＢサイトからの情報取得を行い、利便性が得られるインタネット検索エンジンシステムを提供する。【解決手段】携帯移動端末１はキーワード情報と、端末固有情報保持部１４からの端末固有情報とを無線基地局３に送信する。無線基地局３は無線基地局識別情報と受信した端末固有情報とから地理的位置情報へ自動的に認識・変換した上で、キーワード情報とともにＷＥＢ検索エンジン２へ送信する。ＷＥＢ検索エンジン２は受信した地理的位置情報を地理的位置識別処理装置２２にて地理的位置情報として変換し、検索処理装置２３にてキーワード情報と地理的位置情報とでデータベース２４を検索し、携帯移動端末１との地理的距離が近い順から遠い順に向かってキーワード情報と一致するＷＥＢサイトの出力を順次行う。【選択図】      図１
2004348301.tif 000002
【特許請求の範囲】
【請求項１】
無線基地局から電波が届く範囲が非常に小さいマイクロセル方式による特性にて地理的位置情報が特定可能な端末からのキーワードを基にＷＥＢサイトを検索するＷＥＢ検索エンジンサーバを含むインタネット検索エンジンシステムであって、
前記キーワードを送信した端末からの地理的な距離が近い順から遠い順に向かって前記キーワードに一致した検索結果を出力する出力手段を前記ＷＥＢ検索エンジンサーバに有することを特徴とするインタネット検索エンジンシステム。
【請求項２】
ＴＣＰ／ＩＰ（Ｔｒａｎｓｍｉｓｓｉｏｎ  ＣｏｎｔｒｏｌＰｒｏｔｏｃｏｌ／Ｉｎｔｅｒｎｅｔ  Ｐｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報及び独自に定義されたプライベートＭＩＢのオブジェクトのいずれかによって地理的位置情報が特定可能な端末からのキーワードを基にＷＥＢサイトを検索するＷＥＢ検索エンジンサーバを含むインタネット検索エンジンシステムであって、
前記キーワードを送信した端末からの地理的な距離が近い順から遠い順に向かって前記キーワードに一致した検索結果を出力する出力手段を前記ＷＥＢ検索エンジンサーバに有することを特徴とするインタネット検索エンジンシステム。
【請求項３】
前記キーワードと前記地理的位置情報とを通信ネットワークを介して前記ＷＥＢ検索エンジンサーバに送信する手段を前記端末に含むことを特徴とする請求項１または請求項２記載のインタネット検索エンジンシステム。
【請求項４】
前記検索結果を順次表示する表示手段を前記端末に含むことを特徴とする請求項１から請求項３のいずれか記載のインタネット検索エンジンシステム。
【請求項５】
前記出力手段は、前記検索結果とその検索結果の距離情報とを前記端末からの地理的な距離が近い順から遠い順に向かって順次出力することを特徴とする請求項１から請求項４のいずれか記載のインタネット検索エンジンシステム。
【請求項６】
無線基地局から電波が届く範囲が非常に小さいマイクロセル方式による特性にて地理的位置情報が特定可能な端末からのキーワードを基にＷＥＢサイトを検索するＷＥＢ検索エンジンサーバであって、
前記キーワードを送信した端末からの地理的な距離が近い順から遠い順に向かって前記キーワードに一致した検索結果を出力する出力手段を有することを特徴とするＷＥＢ検索エンジンサーバ。
【請求項７】
ＴＣＰ／ＩＰ（Ｔｒａｎｓｍｉｓｓｉｏｎ  ＣｏｎｔｒｏｌＰｒｏｔｏｃｏｌ／Ｉｎｔｅｒｎｅｔ  Ｐｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報及び独自に定義されたプライベートＭＩＢのオブジェクトのいずれかによって地理的位置情報が特定可能な端末からのキーワードを基にＷＥＢサイトを検索するＷＥＢ検索エンジンサーバであって、
前記キーワードを送信した端末からの地理的な距離が近い順から遠い順に向かって前記キーワードに一致した検索結果を出力する出力手段を有することを特徴とするＷＥＢ検索エンジンサーバ。
【請求項８】
前記出力手段は、前記検索結果とその検索結果の距離情報とを前記端末からの地理的な距離が近い順から遠い順に向かって順次出力することを特徴とする請求項６または請求項７記載のＷＥＢ検索エンジンサーバ。
【請求項９】
キーワードを出力してＷＥＢサイトの検索結果を通信ネットワークを介してＷＥＢ検索エンジンサーバから得るとともに、無線基地局から電波が届く範囲が非常に小さいマイクロセル方式による特性にて地理的位置情報が特定可能な端末装置であって、
自端末と前記無線基地局との協調動作によって前記地理的位置情報を特定する手段と、前記キーワードと前記地理的位置情報とを通信ネットワークを介して前記ＷＥＢ検索エンジンサーバに送信する手段と、前記ＷＥＢ検索エンジンサーバで前記キーワードを基に検索されかつ自端末からの地理的な距離が近い順から遠い順に向かって出力される検索結果を順次表示する表示手段とを有することを特徴とする端末装置。
【請求項１０】
キーワードを出力してＷＥＢサイトの検索結果をインタネットを介してＷＥＢ検索エンジンサーバから得るとともに、ＴＣＰ／ＩＰ（Ｔｒａｎｓｍｉｓｓｉｏｎ  Ｃｏｎｔｒｏｌ  Ｐｒｏｔｏｃｏｌ／ＩｎｔｅｒｎｅｔＰｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報及び独自に定義されたプライベートＭＩＢのオブジェクトのいずれかによって地理的位置情報が特定可能な端末装置であって、
前記キーワードと前記地理的位置情報とを前記インタネットを介して前記ＷＥＢ検索エンジンサーバに送信する手段と、前記ＷＥＢ検索エンジンサーバで前記キーワードを基に検索されかつ自端末からの地理的な距離が近い順から遠い順に向かって出力される検索結果を順次表示する表示手段とを有することを特徴とする端末装置。
【請求項１１】
前記表示手段は、前記検索結果とその検索結果の距離情報とを前記端末からの地理的な距離が近い順から遠い順に向かって順次表示することを特徴とする請求項９または請求項１０記載の端末装置。
【請求項１２】
無線基地局から電波が届く範囲が非常に小さいマイクロセル方式による特性にて地理的位置情報が特定可能な端末からのキーワードを基にＷＥＢサイトを検索するＷＥＢ検索エンジンサーバを含むインタネット検索エンジンシステムのインタネット検索方法であって、前記ＷＥＢ検索エンジンサーバ側に、前記キーワードを送信した端末からの地理的な距離が近い順から遠い順に向かって前記キーワードに一致した検索結果を出力するステップを有することを特徴とするインタネット検索方法。
【請求項１３】
ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報及び独自に定義されたプライベートＭＩＢのオブジェクトのいずれかによって地理的位置情報が特定可能な端末からのキーワードを基にＷＥＢサイトを検索するＷＥＢ検索エンジンサーバを含むインタネット検索エンジンシステムのインタネット検索方法であって、前記ＷＥＢ検索エンジンサーバ側に、前記キーワードを送信した端末からの地理的な距離が近い順から遠い順に向かって前記キーワードに一致した検索結果を出力するステップを有することを特徴とするインタネット検索方法。
【請求項１４】
前記端末が、前記キーワードと前記地理的位置情報とを通信ネットワークを介して前記ＷＥＢ検索エンジンサーバに送信することを特徴とする請求項１２または請求項１３記載のインタネット検索方法。
【請求項１５】
前記端末が、前記検索結果を順次表示することを特徴とする請求項１２から請求項１４のいずれか記載のインタネット検索方法。
【請求項１６】
前記検索結果を出力するステップは、前記検索結果とその検索結果の距離情報とを前記端末からの地理的な距離が近い順から遠い順に向かって順次出力することを特徴とする請求項１２から請求項１５のいずれか記載のインタネット検索方法。
【発明の詳細な説明】
【０００１】
【発明の属する技術分野】
本発明はインタネット検索エンジンシステム、サーバ、端末装置及びそれに用いるインタネット検索方法に関し、特にインタネットにおけるＷＥＢ検索サイトでのキーワード検索方法に関する。
【０００２】
【従来の技術】
従来、ＷＥＢ検索サイトにおいては、利用者がインタネット上において関連する情報を検索する際に、その情報を検索するための語句を入力すると、その語句を含むコンテンツを持つサイト（ホームページ）を検索して表示している。
【０００３】
この検索を行った場合、キーワード検索結果はキーワードの出現頻度、新着順、またはＷＥＢ検索サイト独自の基準による順番付け等による順番で表示されるようになっている。
【０００４】
このキーワード検索結果の表示の順番としては、上記の他に、携帯情報検索装置を対象とし、検索情報を距離順に一覧表示する際に、基準となる装置の位置特定の手段として、ＧＰＳ（Ｇｌｏｂａｌ  Ｐｏｓｉｔｉｏｎｉｎｇ  Ｓｙｓｔｅｍ）または地名／住所／電話番号等の場所に固有なテキストを基に緯度経度情報を近似する方法がある（例えば、特許文献１参照）。
【０００５】
また、他の方法としては、カーナビゲーションシステムを対象とし、検索情報を距離順に一覧表示する際に、基準となる装置の位置特定の手段として、ＧＰＳを用いる方法（例えば、特許文献２参照）、インタネットに接続される装置を対象とし、検索情報を距離順に一覧表示する際に、基準となる装置の位置特定の手段として基本位置情報（会社名，住所，電話番号等）を直接入力する方法（例えば、特許文献３参照）、移動体通信端末を対象とし、検索情報を距離順に一覧表示する際に、基準となる装置の位置特定の手段としてＧＰＳを用いる方法（例えば、特許文献４参照）等がある。
【０００６】
【特許文献１】
特開平１０−０２１２５９号公報（第５，６頁、図１）
【特許文献２】
特開２００１−１７４２７３号公報（第３，４頁、図１）
【特許文献３】
特開２００１−２１６３３１号公報（第５〜９頁、図３）
【特許文献４】
特開２００１−２６４０９０号公報（第４，５頁、図１）
【０００７】
【発明が解決しようとする課題】
しかしながら、上述した従来のキーワード検索方法では、端末の存在する地理的位置から近いＷＥＢサイトからの情報取得を希望する場合や、所望するＷＥＢサイトへ訪れる意志をもってＷＥＢサイトの検索を行う場合において、検索情報を距離順に一覧表示する際に、ＧＰＳ等の位置特定手段を必要としたり、基本位置情報を入力しなければならない。
【０００８】
そこで、本発明の目的は上記の問題点を解消し、ＧＰＳ等や基本位置情報の入力を必要とすることなく、端末に対して近傍のＷＥＢサイトからの情報取得を行うことができ、利便性を得ることができるインタネット検索エンジンシステム、サーバ、端末装置及びそれに用いるインタネット検索方法を提供することにある。
【０００９】
【課題を解決するための手段】
本発明によるインタネット検索エンジンシステムは、無線基地局から電波が届く範囲が非常に小さいマイクロセル方式による特性にて地理的位置情報が特定可能な端末からのキーワードを基にＷＥＢサイトを検索するＷＥＢ検索エンジンサーバを含むインタネット検索エンジンシステムであって、
前記キーワードを送信した端末からの地理的な距離が近い順から遠い順に向かって前記キーワードに一致した検索結果を出力する出力手段を前記ＷＥＢ検索エンジンサーバに備えている。
【００１０】
本発明による他のインタネット検索エンジンシステムは、ＴＣＰ／ＩＰ（Ｔｒａｎｓｍｉｓｓｉｏｎ  Ｃｏｎｔｒｏｌ  Ｐｒｏｔｏｃｏｌ／ＩｎｔｅｒｎｅｔＰｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報及び独自に定義されたプライベートＭＩＢのオブジェクトのいずれかによって地理的位置情報が特定可能な端末からのキーワードを基にＷＥＢサイトを検索するＷＥＢ検索エンジンサーバを含むインタネット検索エンジンシステムであって、
前記キーワードを送信した端末からの地理的な距離が近い順から遠い順に向かって前記キーワードに一致した検索結果を出力する出力手段を前記ＷＥＢ検索エンジンサーバに備えている。
【００１１】
本発明によるＷＥＢ検索エンジンサーバは、無線基地局から電波が届く範囲が非常に小さいマイクロセル方式による特性にて地理的位置情報が特定可能な端末からのキーワードを基にＷＥＢサイトを検索するＷＥＢ検索エンジンサーバであって、
前記キーワードを送信した端末からの地理的な距離が近い順から遠い順に向かって前記キーワードに一致した検索結果を出力する出力手段を備えている。
【００１２】
本発明による他のＷＥＢ検索エンジンサーバは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報及び独自に定義されたプライベートＭＩＢのオブジェクトのいずれかによって地理的位置情報が特定可能な端末からのキーワードを基にＷＥＢサイトを検索するＷＥＢ検索エンジンサーバであって、
前記キーワードを送信した端末からの地理的な距離が近い順から遠い順に向かって前記キーワードに一致した検索結果を出力する出力手段を備えている。
【００１３】
本発明による端末装置は、キーワードを出力してＷＥＢサイトの検索結果を通信ネットワークを介してＷＥＢ検索エンジンサーバから得るとともに、無線基地局から電波が届く範囲が非常に小さいマイクロセル方式による特性にて地理的位置情報が特定可能な端末装置であって、
自端末と前記無線基地局との協調動作によって前記地理的位置情報を特定する手段と、前記キーワードと前記地理的位置情報とを通信ネットワークを介して前記ＷＥＢ検索エンジンサーバに送信する手段と、前記ＷＥＢ検索エンジンサーバで前記キーワードを基に検索されかつ自端末からの地理的な距離が近い順から遠い順に向かって出力される検索結果を順次表示する表示手段とを備えている。
【００１４】
本発明による他の端末装置は、キーワードを出力してＷＥＢサイトの検索結果をインタネットを介してＷＥＢ検索エンジンサーバから得るとともに、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報及び独自に定義されたプライベートＭＩＢのオブジェクトのいずれかによって地理的位置情報が特定可能な端末装置であって、
前記キーワードと前記地理的位置情報とを前記インタネットを介して前記ＷＥＢ検索エンジンサーバに送信する手段と、前記ＷＥＢ検索エンジンサーバで前記キーワードを基に検索されかつ自端末からの地理的な距離が近い順から遠い順に向かって出力される検索結果を順次表示する表示手段とを備えている。
【００１５】
本発明によるインタネット検索方法は、無線基地局から電波が届く範囲が非常に小さいマイクロセル方式による特性にて地理的位置情報が特定可能な端末からのキーワードを基にＷＥＢサイトを検索するＷＥＢ検索エンジンサーバを含むインタネット検索エンジンシステムのインタネット検索方法であって、前記ＷＥＢ検索エンジンサーバ側に、前記キーワードを送信した端末からの地理的な距離が近い順から遠い順に向かって前記キーワードに一致した検索結果を出力するステップを備えている。
【００１６】
本発明による他のインタネット検索方法は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報及び独自に定義されたプライベートＭＩＢのオブジェクトのいずれかによって地理的位置情報が特定可能な端末からのキーワードを基にＷＥＢサイトを検索するＷＥＢ検索エンジンサーバを含むインタネット検索エンジンシステムのインタネット検索方法であって、前記ＷＥＢ検索エンジンサーバ側に、前記キーワードを送信した端末からの地理的な距離が近い順から遠い順に向かって前記キーワードに一致した検索結果を出力するステップを備えている。
【００１７】
すなわち、本発明のインタネット検索エンジンシステムは、ＷＥＢ検索エンジンでのキーワード検索において、ＷＥＢ検索を行った端末からの地理的な距離が近い順から遠い順に向かって、キーワードに一致した検索結果であるＷＥＢサイトを順次表示するシステムである。
【００１８】
上記のように、本発明では、距離順にＷＥＢサイトの検索結果を表示可能とすることによって、端末が存在する地理的位置から近いＷＥＢサイトからの情報取得を希望する場合や、所望するＷＥＢサイトへ訪れる意志をもってＷＥＢサイトの検索を行う場合において、その利便性を得ることが可能となる。
【００１９】
また、本発明のインタネット検索エンジンシステムでは、検索情報を距離順に一覧表示する際に、基準となる装置の位置特定の手段として、無線基地局から電波が届く範囲が非常に小さいマイクロセル方式による特性にて地理的位置情報を特定可能な携帯移動端末［ＰＨＳ（Ｐｅｒｓｏｎａｌ  Ｈａｎｄｙｐｈｏｎｅ  Ｓｙｓｔｅｍ），ＰＣＳ（Ｐｅｒｓｏｎａｌ  Ｃｏｍｍｕｎｉｃａｔｉｏｎｓ  Ｓｅｒｖｉｃｅｓ），無線ＬＡＮ（Ｌｏｃａｌ  Ａｒｅａ  Ｎｅｔｗｏｒｋ）］を対象としている。
【００２０】
さらに、本発明のインタネット検索エンジンシステムでは、検索情報を距離順に一覧表示する際に、基準となる装置の位置特定の手段として、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報（システムグループ：オブジェクトｓｙｓＬｏｃａｔｉｏｎ）または独自に定義されたプライベートＭＩＢのオブジェクトによって地理的位置情報を特定可能なＩＰ（Ｉｎｔｅｒｎｅｔ  Ｐｒｏｔｏｃｏｌ）端末を対象としている。
【００２１】
【発明の実施の形態】
本発明の実施例について図面を参照して説明する。図１は本発明の一実施例によるインタネット検索エンジンシステムの構成を示すブロック図である。図１において、本発明の一実施例によるインタネット検索エンジンシステムは、無線基地局から電波が届く範囲が非常に小さいマイクロセル方式による特性にて地理的位置情報が特定可能な端末からのキーワードを基にＷＥＢサイトを検索するシステムを示しており、携帯移動端末１と、ＷＥＢ検索エンジン（サーバ）２と、無線基地局３と、通信ネットワーク１００とから構成されている。
【００２２】
携帯移動端末１は無線基地局３から電波が届く範囲が非常に小さいマイクロセル方式による特性によって地理的位置情報を特定可能な携帯移動端末［ＰＨＳ（Ｐｅｒｓｏｎａｌ  Ｈａｎｄｙｐｈｏｎｅ  Ｓｙｓｔｅｍ），ＰＣＳ（Ｐｅｒｓｏｎａｌ  Ｃｏｍｍｕｎｉｃａｔｉｏｎｓ  Ｓｅｒｖｉｃｅｓ），無線ＬＡＮ（Ｌｏｃａｌ  Ａｒｅａ  Ｎｅｔｗｏｒｋ）］とする。また、携帯移動端末１は送信装置１１と、受信装置１２と、入力装置１３と、端末固有情報保持部１４と、表示装置１５とから構成されている。
【００２３】
送信装置１１は入力装置１３で受付けられたキーワード情報及び端末固有情報保持部１４によって得られた端末固有情報とを無線基地局３に対して送信可能とする。受信装置１２は無線基地局３を経由してＷＥＢ検索エンジン２からの検索結果を受信可能とする。
【００２４】
入力装置１３はＷＥＢ検索のための複数の検索キーワードや検索条件を文字入力または音声認識によって入力を可能とする。端末固有情報保持部１４は携帯移動端末１の端末固有情報として電話番号やＩＰ（Ｉｎｔｅｒｎｅｔ  Ｐｒｏｔｏｃｏｌ）アドレスや端末固有識別子を保持している。表示装置１５は受信装置１２から受信した検索結果の出力を文字情報または地理的にグラフィカルな情報として表示を可能とする。
【００２５】
無線基地局３は携帯移動端末１から無線送信されたキーワード情報及び端末固有情報を受信し端末固有情報と無線基地局３の無線基地局識別情報とから地理的位置情報を特定する無線基地局識別装置３１を備え、通信ネットワーク１００を経由してＷＥＢ検索エンジン２へキーワード情報及び地理的位置情報を送信する処理と、通信ネットワーク１００を経由してＷＥＢ検索エンジン２から受信した検索結果を携帯移動端末１へ無線送信する処理とが行われる。
【００２６】
ＷＥＢ検索エンジン２は受信装置２１と、地理的位置識別処理装置２２と、検索処理装置２３と、データベース２４と、送信装置２５とから構成され、携帯移動端末１からＷＥＢ検索を受付ける。
【００２７】
受信装置２１は携帯移動端末１、通信ネットワーク１００、無線基地局３を介して取得されたキーワード情報及び地理的位置情報を受信可能とする。地理的位置識別処理装置２２は携帯移動端末１から送信された地理的位置情報を検索処理上で有意な地理的位置情報として変換する。
【００２８】
データベース２４は地理的位置情報と関連付けられたＷＥＢサイト情報を備え、検索処理装置２３は携帯移動端末１から送信されたキーワード情報と地理的位置情報処理装置２２によって得られた地理的位置情報とを基にデータベース２４に対して検索を行う。送信装置２５は検索処理装置２３によって得られた検索結果を検索要求を受けた携帯移動端末１へ向けて送信可能とする。
【００２９】
図２は本発明の一実施例によるインタネット検索エンジンシステムの動作を示すシーケンスチャートである。これら図１及び図２を参照して本発明の一実施例によるインタネット検索エンジンシステムの動作について説明する。
【００３０】
携帯移動端末１においては、ユーザがＷＥＢサイト検索のために、入力装置１３を介して複数のキーワードや検索条件を文字入力または音声認識によって得られたキーワード情報と、端末固有情報保持部１４を介して得られた端末固有情報（電話番号やＩＰアドレス、端末固有識別子等）とを送信装置１１を介して無線基地局３へ無線送信する。無線基地局３内では無線基地局識別情報と受信した端末固有情報とから無線基地局識別装置３１によって地理的位置情報へ自動的に認識・変換した上で、受信したキーワード情報とともにＷＥＢ検索エンジン２へ送信する（図２ステップＳ１）。
【００３１】
ＷＥＢ検索エンジン２は携帯移動端末１から送信されてきたキーワード情報及び地理的位置情報を受信装置２１で受信すると、受信した地理的位置情報を地理的位置識別処理装置２２にて各種端末の種類毎に異なる位置情報を検索処理上で有意かつ統一された地理的位置情報として変換を行う（図２ステップＳ１１）。
【００３２】
検索処理装置２３は受信装置２１で受信したキーワード情報と地理的位置識別処理装置２２によって得られた地理的位置情報との２つの情報をもって、地理的位置情報と関連付けられたＷＥＢサイト情報を備えたデータベース２４を検索し（図２ステップＳ１２）、携帯移動端末１との地理的距離が近い順から遠い順に向かってキーワード情報と一致するＷＥＢサイトの検索結果の出力を順次行う（図２ステップＳ１３）。この検索結果の出力は送信装置２５を介して携帯移動端末１に返信される。
【００３３】
携帯移動端末１はＷＥＢ検索エンジン２から返信されてきた距離順のＷＥＢサイト検索結果を携帯移動端末１の受信装置１２にて受信し、携帯移動端末１の表示装置１５にて検索結果の出力を文字情報または地理的にグラフィカルな情報として表示する（図２ステップＳ２）。
【００３４】
このように、本実施例では、携帯移動端末１が存在する地理的位置から近いＷＥＢサイトからの情報取得を希望する場合や、所望するＷＥＢサイトへ訪れる意志をもってＷＥＢサイトの検索を行う場合において、距離順にＷＥＢサイトの検索結果を表示することによって、ＧＰＳ（Ｇｌｏｂａｌ  Ｐｏｓｉｔｉｏｎｉｎｇ  Ｓｙｓｔｅｍ）等や基本位置情報の入力を必要とすることなく、携帯移動端末１に対して近傍のＷＥＢサイトからの情報取得を行うことができ、利便性を得ることができる。
【００３５】
尚、本実施においては、例えば、画一的なサービスを提供するガソリンスタンド、コンビニエンスストア、ファーストフード店等のフランチャイズチェーン、派出所等の公共施設へのＷＥＢサイトを検索し、そこから得られた情報を基に実際に訪れてサービスを享受する際にその利便性が発揮される。
【００３６】
また、本実施例では、ＷＥＢ検索エンジン２の検索処理装置２３において、距離順のＷＥＢ検索サイト出力のほかに、ＷＥＢ検索サイトまでの距離情報の出力をも行い、携帯移動端末１の受信装置１２にて距離順のＷＥＢ検索サイト出力及びＷＥＢ検索サイトまでの距離情報を受信し、携帯移動端末１の表示装置１５にてＷＥＢ検索サイトまでの距離情報も含めて距離別のＷＥＢ検索サイトの表示を行うこともできる。
【００３７】
図３は本発明の他の実施例によるインタネット検索エンジンシステムの構成を示すブロック図である。図３において、本発明の他の実施例によるインタネット検索エンジンシステムは、携帯移動端末１と無線基地局３と通信ネットワーク１００の代わりにＩＰ（Ｉｎｔｅｒｎｅｔ  Ｐｒｏｔｏｃｏｌ）端末４とインタネット２００とを設けた以外は図１に示す本発明の一実施例と同様の構成となっており、同一構成要素には同一符号を付してある。また、同一構成要素の動作は本発明の一実施例と同様である。
【００３８】
ＩＰ端末４はＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコルスタックの上位プロトコルであるＳＮＭＰ（Ｓｉｍｐｌｅ  Ｎｅｔｗｏｒｋ  Ｍａｎａｇｅｍｅｎｔ  Ｐｒｏｔｏｃｏｌ）の標準ＭＩＢ（Ｍａｎａｇｅｍｅｎｔ  Ｉｎｆｏｒｍａｔｉｏｎ  Ｂａｓｅ）のシステムロケーション情報（システムグループ：オブジェクトｓｙｓＬｏｃａｔｉｏｎ）または独自に定義されたプライベートＭＩＢのオブジェクトによって地理的位置情報を特定可能なＩＰ端末とする。また、ＩＰ端末４は送信装置４１と、受信装置４２と、入力装置４３と、端末固有情報保持部４４と、表示装置４５とから構成されている。
【００３９】
送信装置４１は入力装置４３で受付けられたキーワード情報及び端末固有情報保持部４４を通してプロトコルＳＮＭＰのメッセージコマンド（Ｇｅｔ  ＲｅｓｐｏｎｓｅまたはＴｒａｐ）によって伝達される地理的位置情報とをインタネット２００に対して送信可能とする。受信装置４２はインタネット２００を経由してＷＥＢ検索エンジン２からの検索結果を受信可能とする。
【００４０】
入力装置４３はＷＥＢ検索のための複数の検索キーワードや検索条件を文字入力または音声認識によって入力を可能とする。端末固有情報保持部４４はＩＰ端末４の地理的位置情報をＳＮＭＰの標準ＭＩＢのシステムロケーション情報（システムグループ：オブジェクトｓｙｓＬｏｃａｔｉｏｎ）または独自に定義されたプライベートＭＩＢのオブジェクトとして保持している。表示装置４５は受信装置４２から受信した検索結果の出力を文字情報または地理的にグラフィカルな情報として表示を可能とする。
【００４１】
ＷＥＢ検索エンジン２はキーワード情報及び地理的位置情報の取得先と、検索出力先とが異なっている以外は、上述した図１に示すＷＥＢ検索エンジン２の構成と同様である。
【００４２】
本発明の他の実施例によるインタネット検索エンジンシステムの動作は端末がＩＰ端末４となる以外は上述した本発明の一実施例と同様に、図２に示すような動作を行う。そこで、これら図２及び図３を参照して本発明の他の実施例によるインタネット検索エンジンシステムの動作について説明する。
【００４３】
ＩＰ端末４においては、ユーザがＷＥＢサイト検索のために、入力装置４３を介して複数のキーワードや検索条件を文字入力または音声認識によって得られたキーワード情報と、端末固有情報保持部４４を介してＩＰ端末４内でＳＮＭＰの標準ＭＩＢのシステムロケーション情報（システムグループ：オブジェクトｓｙｓＬｏｃａｔｉｏｎ）または独自に定義されたプライベートＭＩＢのオブジェクトから自動的に認識・付加して得られた地理的位置情報とを送信装置４１を介してＷＥＢ検索エンジン２へ送信する（図２ステップＳ１）。
【００４４】
ＷＥＢ検索エンジン２はＩＰ端末４から送信されてきたキーワード情報及び地理的位置情報を受信装置２１で受信すると、受信した地理的位置情報を地理的位置識別処理装置２２にて各種端末の種類毎に異なる位置情報を検索処理上で有意かつ統一された地理的位置情報として変換を行う（図２ステップＳ１１）。
【００４５】
検索処理装置２３は受信装置２１で受信したキーワード情報と地理的位置識別処理装置２２によって得られた地理的位置情報との２つの情報をもって、地理的位置情報と関連付けられたＷＥＢサイト情報を備えたデータベース２４を検索し（図２ステップＳ１２）、ＩＰ端末４との地理的距離が近い順から遠い順に向かってキーワード情報と一致するＷＥＢサイトの検索結果の出力を順次行う（図２ステップＳ１３）。この検索結果の出力は送信装置２５を介してＩＰ端末４に返信される。
【００４６】
ＩＰ端末４はＷＥＢ検索エンジン２から返信されてきた距離順のＷＥＢサイト検索結果をＩＰ端末４の受信装置４２にて受信し、ＩＰ端末４の表示装置４５にて検索結果の出力を文字情報または地理的にグラフィカルな情報として表示する（図２ステップＳ２）。
【００４７】
このように、本実施例では、ＩＰ端末４が存在する地理的位置から近いＷＥＢサイトからの情報取得を希望する場合や、所望するＷＥＢサイトへ訪れる意志をもってＷＥＢサイトの検索を行う場合において、距離順にＷＥＢサイトの検索結果を表示することによって、ＧＰＳ等や基本位置情報の入力を必要とすることなく、ＩＰ端末４に対して近傍のＷＥＢサイトからの情報取得を行うことができ、利便性を得ることができる。
【００４８】
また、本実施例では、ＷＥＢ検索エンジン２の検索処理装置２３において、距離順のＷＥＢ検索サイト出力のほかに、ＷＥＢ検索サイトまでの距離情報の出力をも行い、ＩＰ端末４の受信装置４２にて距離順のＷＥＢ検索サイト出力及びＷＥＢ検索サイトまでの距離情報を受信し、ＩＰ端末４の表示装置４５にてＷＥＢ検索サイトまでの距離情報も含めて距離別のＷＥＢ検索サイトの表示を行うこともできる。
【００４９】
【発明の効果】
以上説明したように本発明は、上記のような構成及び動作とすることで、ＧＰＳ等や基本位置情報の入力を必要とすることなく、端末に対して近傍のＷＥＢサイトからの情報取得を行うことができ、利便性を得ることができるという効果が得られる。
【図面の簡単な説明】
【図１】本発明の一実施例によるインタネット検索エンジンシステムの構成を示すブロック図である。
【図２】本発明の一実施例によるインタネット検索エンジンシステムの動作を示すシーケンスチャートである。
【図３】本発明の他の実施例によるインタネット検索エンジンシステムの構成を示すブロック図である。
【符号の説明】
１  携帯移動端末
２  ＷＥＢ検索エンジン
３  無線基地局
４  ＩＰ端末
１１，２５，４１  送信装置
１２，２１，４２  受信装置
１３，４３  入力装置
１４，４４  端末固有情報保持部
１５，４５  表示装置
２２  地理的位置識別処理装置
２３  検索処理装置
２４  データベース
３１  無線基地局識別装置
１００  通信ネットワーク
２００  インタネット
【図１】
2004348301.tif 000003
【図２】
2004348301.tif 000004
【図３】
2004348301.tif 000005